(57)【要約】      （修正有）【課題】軸ジャーナルに対する軸受表面積を減らすようにしてある平軸受を提供する。【解決手段】平軸受を、使用時に関連する軸受ハウジング内にはめ込む。このハウジングに接触する軸受裏当ては、軸線方向でハウジングと実質的に同じ長さであり、この場合平軸受の作動面は軸線方向及び半径方向の両方向に逃げを設け、使用時に関連する軸ジャーナルに対する軸受表面積を減らすようにしてある。【選択図】図５
2011237035.tif 000002
【特許請求の範囲】
【請求項１】
作動面を持つ平軸受であって、
使用時に関連する軸ジャーナル（３０）に対する接触軸受表面積を減らすように、前記作動面に、軸線方向及び半径方向の両方向に延びる少なくとも２つの逃げの部分（５０、５２）を設け、前記逃げの部分が軸受全周のまわりに延び、前記逃げの部分を関連する前記軸ジャーナルのオイル供給穴（３６）の軸線方向外方にこのオイル供給穴（３６）から離れて位置させた平軸受において、
前記半径方向の逃げ（Ｄ）を、関連する軸ジャーナルの直径に基づいて前記軸受穴（４２）と、前記関連する軸ジャーナルとの間の公称の全すきま（ｄ）の×２ないし×１５の要因とし、前記逃げの部分の全軸線方向長さ（ｌ）を軸受長さ（Ｌ）の５ないし４０％の範囲内とし、前記逃げの部分を、前記軸受長さのまわりに実質的に対称に配置し、前記逃げの部分の底部が軸受軸線に対して傾斜するようにしたことを特徴とする平軸受。
【発明の詳細な説明】
【技術分野】
【０００１】
本発明は、平軸受（ｐｌａｉｎ  ｂｅａｒｉｎｇ）、ことに限定するわけではないがエンジン・クランク軸軸受に関する。
【背景技術】
【０００２】
最も広い意味でエンジンの特性及び寸法は一般にエンジンの設計者が定める。たとえば４シリンダ・エンジンは、今日ではほぼ確実に５軸受形クランク軸が使われるがこのエンジンでは３個又は５個の主軸受付きクランク軸を備える。各エンジン・シリンダは、一般に２個の半殻から成る軸受を備えた連接棒を持つ。軸受の軸線方向最大長さは連接棒厚さ（軸線方向長さ）によって定まる。この連接棒厚さ自体は、ビッグ・エンド軸ジャーナルをその隣接する主軸受軸ジャーナルに接合する各クランク・ウェブ間で利用できる空間により定まる。従来の軸受は、利用できる限度内の最大許容軸受面積を生ずる実際上全部の利用可能長さをほぼ必ず利用している。若干の場合に軸受面積はオイル供給を行い分布みぞ等を設けることによって減小する。
【０００３】
クランク軸エンド・フロートを制御する一体のスラスト・ワッシャを持つ若干の構造のいわゆるフランジ付き主軸受けは、若干の利用できる長さがフランジ取付けの領域におけるクランク軸の汚損を各別のフランジ部材の取付け手段により防ぐのを妨げてはならないから全部の利用できる軸線方向長さを必ずしも利用していない。この範囲内のこのような軸受の例はＵＳ−Ａ−４，９８９，９９８号及びＵＳ−Ａ−５，２６７，７９７号の各明細書に認められる。
【０００４】
ＵＳ−Ａ−４，６４０，６３０号明細書はターボチャージャ・ロータ用の特殊な軸受に係わる。この軸受は、そのハウジングに対して又その支えるターボチャージャ軸に対しても回転する浮動式の大体において円筒形のブッシュ形軸受であり、従ってこの軸受はそのハウジング内に固定してない。さらにこの軸受は穴内に減小した軸受面積を持つが、これは軸受の半径方向こわさを制御するためであり、この軸受は、ターボチャージャのように極めて高い回転速度の用途における性能に有害な作用を及ぼす振動を制御するのに使う。外径長さ対内径長さの比率に対する最適の範囲を与える以外には他の情報は与えない。
【発明の開示】
【発明が解決しようとする課題】
【０００５】
軸受面積を最大にする理由は、エンジンの作動中に軸受に加わる特定の荷重をできるだけ低くすることである。特定の荷重を最小にすることは一般に、たとえば任意の与えられたエンジン速度に対する比較的低いオイル作動温度と最少の軸受摩耗とのようなその他の軸受の利点を生ずるものと一般的に考えられる。
【０００６】
従来の軸受では、軸受端面で軸受合金に断面で見ると、軸受面積を少量だけ減らす凸形曲がりを持つ面取り部分のような普通の軸受構造であることが指摘される。しかし一般に普遍的に承認されている軸受構造の原理は、とくに新型の高定格高速回転エンジンで軸受面積を最大にすることである。
【課題を解決するための手段】
【０００７】
すなわち前記した所から、公知のエンジン用に作られ「標準」のエンジン軸受の面積に比べて著しく減小した軸受面積を持つ軸受が標準軸受より低い軸受作動温度（ｂｅａｒｉｎｇ  ｏｐｅｒａｔｉｎｇ  ｔｅｍｐｅｒａｔｕｒｅ）を生ずるとすれば驚くべきことである。
【０００８】
本発明によれば平軸受が得られる。この平軸受は作動面（ｒｕｎｎｉｎｇ  ｓｕｒｆａｃｅ）を持ち、この平軸受の作動面は使用中に関連する軸ジャーナルに対する接触軸受表面積を減らすように軸線方向及び半径方向の両方向に逃げを設けてある（ｒｅｌｉｅｖｅｄ）。
【０００９】
平軸受は関連する軸受ハウジング内に使用時にはめ込まれた（ｆｉｔｔｅｄ）別個の軸受である。軸受背部は前記ハウジングに接触し軸線方向で前記ハウジングと実質的に同じ長さである。
【００１０】
本平軸受は使用時に関連するハウジング内に固定され、すなわち軸受及びハウジングは固定の関係を保持し相互に対し回転しない。
【００１１】
本平軸受けは、軸受け合金ライニングを持つ少なくとも１つの強い裏あて材料を備える。
【００１２】
本発明による軸受の逃げ（ｒｅｌｉｅｆ）は、公知の面取り部が凸形の断面輪郭又は軸受作動面から軸受軸線方向端面の外縁部に直接延びる直線を持つ点で公知の面取り部で軸受端部に認められることの多い普通の面取り部とは異なる。本発明による軸受の逃げは、軸受端面の軸線方向端部に延びる又は軸受端面に密接に隣接するみぞ又はさねはぎ（ｒｅｂａｔｅ）として考えられる。
【００１３】
本発明による軸受は、軸受表面積は減小しても一層低い軸受作動温度の生ずることが認められている。
【００１４】
軸受をハウジング、通常各ハウジング半部分が半分の軸受殻を含む分割型ハウジング（ｓｐｌｉｔ  ｈｏｕｓｉｎｇ）内に立てるときは、組立てた軸受穴と軸受をまわりに組立てる関連するクランク軸ジャーナルとの間に公称すきま（ｎｏｍｉｎａｌ  ｃｌｅａｒａｎｃｅ）が存在する。このすきまにより作動時に軸受及び軸ジャーナルを支えるオイル膜を形成することができる。或るエンジンではクランクケース内の主軸受けは固定され、回転するクランク軸ジャーナルはオイル膜に支えられると共に、連接棒のビック・エンド軸受はエンジン・ピストンにより駆動され軸ジャーナルにより介在するオイル膜に支えられる。すきまにより、ハウジング内の軸受のたわみが生ずる条件のもとでオイル膜の保持ができ又作動中に熱膨張作用を生ずることができる。
【００１５】
軸受穴と、関連する軸ジャーナルとの間の公称の全すきまの１つの要因（ｆａｃｔｏｒ）として、半径方向すきまは軸受穴の直径と軸ジャーナルの直径とに基づいて公称の全すきま×２ないし約×１５の間であることが分った。たとえば軸受及び軸の間の公称すきまが０．０４ｍｍであれば、逃げの部分の半径方向すきまは約０．０８ないし０．６０ｍｍの範囲にある。
【００１６】
逃げの部分（ｒｅｌｉｅｖｅｄ  ｐｏｒｔｉｏｎ）の軸線方向長さは、軸線方向の逃げの部分なしで利用できる最大の利用できる軸受長さの一定割合部分として考えられる。利用できる軸受長さの約５ないし約４０％の範囲の軸線方向の逃げの部分が有利な作用を生ずることが分っている。好適な範囲は約１０ないし約３０%である。
【００１７】
逃げの部分は、軸受の一方の軸線方向端部又は両方の軸線方向端部に設ければよい。逃げ（ｒｅｌｉｅｆ）を各軸受軸線方向端部に設ける場合には逃げを軸受長さのまわりに実質的に対称に配置するのがよい。たとえば全軸線方向逃げが６ｍｍであれば、この場合それぞれ３ｍｍの軸線方向長さを持つ２つの逃げ部分として設けるのがよい。
【００１８】
若干の場合に逃げは公称の軸受面積内に設けるのがよい。しかし本発明軸受の逃げが従来の円周方向のオイル供給みぞによっては構成されないのはもちろんである。実際上本発明の軸受面積逃げ部分は一般に、たとえばクランク軸オイル供給せん孔を介しオイルを直接供給する構造とは異なって遠隔のオイル源からオイルが流れを込む区域に設ける。すなわち本発明軸受の逃げの部分は、オイル供給みぞからオイルを受ける。このオイル供給みぞ自体はたとえばエンジン主軸受の場合に逃げなしの軸受表面の介在部分を介しクランク軸オイル供給せん孔からオイルを受ける。又他方では連接棒軸受は関連する軸ジャーナルのオイル供給穴からオイルを供給する。オイル穴は一般に軸受の軸線方向各端部間のほぼ中間に位置し供給オイルが逃げの部分に向かい軸線方向外方に向かうようにしてある。
【００１９】
逃げの部分は軸受対の両半部分に設けるのがよく、又逃げの部分は円周方向に互いに隣接しすなわち逃げの部分は両半部分で円周方向に互いに整合するのがよい。オイル溜まりを乱す、軸受接合面の各逃げの部分の「段差」（ｓｔｅｐ）又は連続性の欠除部又は逃げの部分を含む軸受領域に生ずるうず等が存在してはならないと考えられる。すなわち軸受半部分の各逃げ部分は隣接する軸受半部分の各逃げの部分になめらかに調和しなければならない。
【００２０】
本発明軸受の逃げは、オイルの流れの障害部を含んではならない。
【００２１】
逃げの部分を各別の半割り殻軸受（ｈａｌｆ  ｓｈｅｌｌ  ｂｅａｒｉｎｇ）によって述べたが、本発明は又たとえば連接棒に形成した軸受にも応用できる。この軸受は、たとえば高速酸素−燃料吹付けによりこの軸受穴に軸受合金を直接内張りしてある。本発明は、軸線方向及び半径方向の逃げを適用する場合に正味の全部の利用できる軸受長さ部に軸受合金を内張りして通常全軸線方向長さにわたり所定のすきまを持つ「正規」の（ｎｏｒｍａｌ）軸受表面になる部分を形成するようにできる。
【００２２】
同様に本発明は又、軸受穴に円形の逃げの部分を設ける場合に実質的に円筒形のスリーブ軸受に適用できる。
【００２３】
本発明は又、たとえばアルミニウム合金製連接棒に直接形成した軸受に係わる。たとえば芝刈機及びその他の園芸術装置に使われる単シリンダ・エンジンのような多くの小型低回転低動力エンジンは、軸受として直接機械加工する連接棒材料を利用する。
【００２４】
本発明による軸受は、与えられたエンジン速度で低下したオイル温度に基づく増大したオイル粘度によって高動力高速度の条件のもとでいわゆる軸受タッチダウンの開始を遅らせる。
【００２５】
本発明軸受により生ずる低下した軸受作動温度は逃げの部分に生成する乱流（ｔｕｒｂｕｌｅｎｃｅ）又はオイルのうず巻（ｏｉｌ  ｖｏｒｔｉｃｅｓ）に基づき又はその影響を受ける。これ等の乱流又はうず巻は、軸受から流れるオイルへのこの軸受からの熱伝達に役立つ。
【００２６】
各逃げの部分には、軸受内へのオイルの飛散を生ずるようにオイルのうず巻の形成及び／又は保持に役立つ構成にしてある。このような構成はたとえば逃げの部分に又はこの逃げの部分に隣接して形成した唇状部から成る。
【００２７】
さらに、減少した動力損失は、軸受作動温度の低下又は低下した軸受温度上昇の得られる２次的効果の誘起することが分る。
【００２８】
本発明軸受は、連接棒ビッグ・エンド軸受又は主軸受又はその他の任意の形式の軸受とくに動的荷重を受ける軸受を含む。しかし本発明軸受は内燃機関以外の用途に使用でき、このような使用例には限定するわけではないが圧縮機、流体圧ギヤ・ポンプ、船舶及びボート用のプロペラペラ軸の軸受と静的な又は動的の荷重を受けるその他の任意の軸受とを含む。
【００２９】
なお分りやすいように本発明を添付図面について例示して述べる。
【実施例】
【００３０】
同じ構造を共通の参照数字で示した図１ないし９について本発明の実施例を説明する。
【００３１】
内燃機関用の従来の半割り軸受（ｈａｌｆ  ｂｅａｒｉｎｇ）１０を図１に示してある。半割り軸受１０は、たとえば鋼のような材料で作った強い裏当て（ｂａｃｋｉｎｇ）１２と裏当て１２に接着した軸接合金ライニング１４とから成る。ライニング１４は使用時に軸ジャーナル(図示してない)と関連する。強い裏当て１２は約０．２５ｍｍ以上の任意の厚さを持つ。軸受合金ライニング層１４は、厚さが約０．２５ｍｍないし１．５ｍｍでありアルミニウム合金又は合金から作ることが多い。軸受１０は、合金層１４より軟らかい合金から成るいわゆるオーバレイ層を設けても設けなくてもよい。このようなオーバレイ層は設けてある場合通常厚さが１５ないし５０μｍの範囲である。軸受合金層１４は図示の例では実質的に軸受の全面積にわたって延びる。すなわち軸受合金が関連する連接棒に軸線方向に整合するように設けた切欠き部１６以外に切欠き又は除去した区域はない。
【００３２】
図２及び３は、エンジンの連接棒２２に取付けられ図１の軸受１０と大体においてにおいて同様な構造を持つ軸受２０を示す。軸受２０は、軸受合金から成るライニング２８を持つ鋼製裏当て（ｓｔｅｅｌ  ｂａｃｋｉｎｇ）２６を備える。連接棒２２の下半部のキャップ２４の一部だけを下半部の軸受２０の一部と共に示してある。連接棒２２に２個の半割りの軸受２０を組立てるときは、軸受２０は、２個のクランク軸ウェブ３２、３４間に支えたクランク軸ビッグ・エンド・ジャーナル（ｒａｎｋｓｈａｆｔ  ｂｉｇ−ｅｎｄ  ｊｏｕｒｎａｌ）３０を囲む。軸受２０の全軸線方向長さは図１に「Ｌ」として示してある。連接棒２２及び軸受２０をクランク軸ビッグ・エンド・ジャーナル３０のまわりに組立てるときは、ジャーナル面４０及び軸受面４２間にすきま「ｄ」が存在する。すきま「ｄ」は、連接棒２２内に組付けたときに半殻の軸受２０により形成した軸受穴とクランク軸ビッグ・エンド・ジャーナル３０の直径との間の直径差として定義される。軸受２０は軸線４４を持つ。
【００３３】
本発明による軸受２０は図２及び３に示すように、半径方向に寸法「Ｄ」と軸線方向に長さ「ｌ」とを持つ円周方向くぼみ５０、５２を設けることにより各軸線方向端部で穴に逃げを設けてある。図３に示した拡大図Ａは又、クランク軸ビッグ・エンド・ジャーナル３０の軸線方向端部に形成した応力逃がしみぞ４６と、連接棒２２の軸受受入れ穴の端部に形成したかど取り部４８とを示す。
【００３４】
軸ジャーナル３０は、詳細に後述する試験の場合に後述の制御された条件に関係なくこれ等の条件のもとでオイルを供給されるオイル供給穴３６を持つ。正規の使用の際には車両にはめ込まれた同じエンジンが隣接主軸受からクランク軸のせん孔を介しオイル穴３６にオイルを供給される。しかし試験はエンジンと正規の道路使用エンジンとは共に一般に実際上或る位置(オイル穴３６)で軸受にオイルが供給されこのオイルが逃げの部分に向かい外方に(矢印３８により示すように)流れ、軸受からその軸線方向両端部で流出し、エンジン・オイル・パン内に落下する。すなわち各軸線方向軸受端部に隣接して１個所ずつ２個所の逃げの部分がある場合に、これ等の逃げの部分の中間にオイルが供給され各逃げの部分を経てこの軸受から各軸線方向端部で流出する。各オイルは供給穴及び各逃げ部の相対配置を後者の考え方は後述の全部の実施例に適用できる。
【００３５】
図２及び３において深さ「Ｄ」は一定である。しかしこのことは、さらに後述するように深さ「Ｄ」が軸線方向長さ「ｌ」に沿って変るような場合にとは必ずしも限らない。
【００３６】
図４は、逃げの部分５２がその軸線方向外方に位置する唇状部６０を持つ第２の実施例を示す。この軸受の全壁厚さは「Ｔ」と定め、唇状部６０の位置における壁の厚さは「ｔ」と定める。この場合ｔ＜Ｔまたｔ＝Ｔただしｔ＞（Ｔ−Ｄ）である。唇状部６０の軸線方向長さは、「ｍ」と定め軸受及びすきまの実際の寸法と実際のエンジン用途と従って変えてもよい。
【００３７】
図５は一様でない深さの逃げの部分を持つ軸受を示す。この逃げの部分は軸受の軸線方向端部に向かい或る一定の角度をなして、下方に傾斜する。深さ「Ｄ」は逃げ部分の一方の端部から他端部までの平均深さと定める。
【００３８】
図６は図５に示したのとは逆の傾斜を持つ逃げの部分を示す。又深さ「Ｄ」は一端部から他端部までのくぼみの平均深さと定義する。
【００３９】
図７は、くぼみ５２が湾曲底部７０を持つ軸受を示す。この軸受の軸線方向外端部における壁圧「ｔ」は「Ｔ」に等しいか又は「Ｔ」より小さい。このくぼみの深さ「Ｄ」は湾曲底部７０の最大深さ部の深さとして定義する。
【００４０】
図８は段付きの逃げの部分７２を持つ軸受を示す。図示の例は３個所の段を持つ。しかし３個所より多くても少なくてもよい。
【００４１】
図９は、逃げの部分５０、５２を軸受端部８０、８２の軸線方向内方に形成した実施例を示す。各くぼみの軸線方向外方の軸受表面部分８４、８６は、壁厚さに逃げを設けてなくて前記したような厚さ「Ｔ」を持つ。
【００４２】
６０００ｒｐｍで１００ｋｗの最高動力と４０００ｒｐｍで１８０ＮＭの最高トルクとを持つ４シリンダ直列形１６バルブ・ダブル・オーバーヘッド・カムシャフト（ＤＯＨＣ）２リットル  エンジンで種種の寸法の「Ｄ」及び「ｌ」を持つ図２及び３により作った軸受について試験を行った。各エンジン試験は次の表に示した条件のもとに行った。
【００４３】
2011237035.tif 000003
【００４４】
本発明による軸受の各逃げの部分の真の効果を試験によりできるだけ表示するように、エンジンは流量、温度及び圧力の制御した条件のもとでオイルがビッグ・エンド軸受に直接送られるように改造した。改造してないエンジンではオイルは通常主軸受ジャーナルからビッグ・エンド軸受にクランク軸のウエブ及びジャーナルのオイルせん孔を介して送られる。このオイルは次いで一体のエンジン・オイル・ポンプからシリンダ・ブロック内の通路を経て加圧オイルにより供給される。しかし改造してないエンジンでは本発明軸受によってビッグ・エンド軸受（ｂｉｇ−ｅｎｄ  ｂｅａｒｉｎｇ）すなわちクラクピン軸受へのオイルの供給を制御することと又は作動パラメータの変化を監視することとができない。たとえばエンジン速度の上昇に伴い主軸受はそのビッグ・エンド下流側に達するオイルの圧力及び量に大きい影響を持ち高いエンジン速度においてビッグ・エンド軸受内のオイル供給が欠乏を生ずるようになる。改造した試験エンジンでは入力オイル・パラメータ（ｉｎｐｕｔ  ｏｉｌ  ｐａｒａｍｅｔｅｒ）を前記したように正確に制御することができるだけでなく又軸受温度の変化を正確に監視することができる。オイルはこの改造エンジン内にクランク軸の鼻部のせん孔を介して導入され、ビッグ・エンド軸受への独立したオイル送給ができる。主軸受ジャーナルからビッグ・エンドへの正規のオイル供給せん孔は栓をしてある。オイル流れを監視する全流量計（ｂｕｌｌ−ｆｌｏｗ  ｍｅｔｅｒ）によりオイル供給量が定められる。オイルを供給される軸受２０は又、軸受温度の変化を監視する熱電対を設けてある。各熱電対（図示してない）は実際の軸受面から約０.３mmの位置に位置させてある。すなわち記録されるのはオイル温度変化でなくて軸受温度の変化である。試験エンジンの改造の詳細は、２０００年３月ＳＡＥ論文ＣＯＰ−４５６号のＤ．Ｄ.．ウイリアムズ（Ｗｉｌｌｉａｍｓ）Ｂ．のマイアン（Ｍｉａｎ）、Ａ．Ｃ．パーカー（Ｐａｒｋｅｒ）を著者とする論文「全体及び部分みぞ付き主軸受の計測したクランク軸軸受のオイルの流れ及び温度」に認められる。
【００４５】
図１０には、流入送給オイルの温度が２バールで１００℃の場合に行った試験の成績を示す。軸受温度の変化は３０００ｒｐｍないし６５００ｒｐｍの範囲で計測する。各軸受は「標準型」で、（１）すなわち車両ははめ込まれたときにエンジンに通常供給される軸受で深さ２ｍｍ×０．３ｍｍの逃げの部分を持つ軸受であり、（２）すなわち軸受の各軸線方向端部において「Ｄ」＝０．３ｍｍ又「ｌ」＝１ｍｍ、深さ４ｍｍ×０．３ｍｍ、（３）すなわち軸受の各軸線方向端部において「Ｄ」＝０．３ｍｍ又「ｌ」＝２ｍｍ、深さ６ｍｍ×０．３ｍｍ、（４）すなわち軸受の各軸線方向端部において「Ｄ」＝０．３ｍｍ又「ｌ」＝３ｍｍ、深さ６ｍｍ×０．６ｍｍ、（５）すなわち「Ｄ」＝０．６ｍｍ又「ｌ」＝３ｍｍである。試験エンジンでは半径方向すきま「ｄ」は０．０２ｍｍで直径方向すきまは０．０４ｍｍであった。
【００４６】
図１０に明らかなように軸受の各軸線方向端部で寸法「ｌ」が１から３ｍｍまで増大するのに伴い軸受温度上昇（１００℃のオイル送給温度以上）は低下し続ける。６０００ｒｐｍにおける１００℃の入力オイル温度（ｉｎｐｕｔ  ｏｉｌ  ｔｅｍｐｅｒａｔｕｒｅ）では、本発明によれば各軸受端部で３ｍｍの長さ「ｌ」と０．３ｍｍの深さ「Ｄ」とを持つ軸受は温度が約２６℃だけ上昇するが標準の軸受は温度が約４０℃だけ増大する。各軸線方向端部における１ｍｍから３ｍｍまでの増大する寸法「ｌ」の効果により、軸受温度上昇を低下させ続ける。軸受の各軸線方向端部において３ｍｍの寸法「Ｄ」で０．３ｍｍから０．６ｍｍまで深さ「Ｄ」を増す効果により、６０００ｒｐｍまでの軸受温度上昇の減小を生じ、次で標準軸受は軸受温度上昇の増大が一層低くなる。
【００４７】
図１１は、オイル入力温度が１００℃でなくて１４０℃であることを除いて図１０と同様な線図を示す。しかし図５に示したのと同じ傾斜により、軸受の各軸線方向端部における０．３ｍｍの深さ「Ｄ」と３ｍｍの寸法「ｌ」とにより、標準軸受よりなお約５℃又はそれ以上低い温度上昇によるときは約６５００ｒｐｍまでの速度範囲の付近で軸受温度上昇に最小の増加を生ずる。又軸受の各軸線方向端部に３ｍｍまでの寸法「ｌ」の増大により比較的低い同じ傾向の軸受温度上昇がある。
【００４８】
図１２及び図１３は標準軸受に対する軸受温度上昇の線図（トレース１）と「ｌ」＝２ｍｍ又深さ「Ｄ」＝０．１ｍｍの軸線方向端部の逃げの部分を持つ軸受に対する温度上昇の線図（トレース２）とを示す。前記のように本発明による軸受が１００℃（図１２）及び１４０℃（図１３）の入力オイル温度における軸受温度上昇の減小を示すのは明らかである。オイル供給圧力は両方の線図で２バールである。
【００４９】
各エンジンは加速時に高い速度まで運転するが、車両のエンジンは本発明の効果の著しい極めて低い速度でこのエンジンの運転寿命の大部分を費やす。しかしたとえば一様な車両及びエンジンの高い速度が一般的であるモータウエイでは、とくに、エンジン・オイル・パンのまわりの冷却空気の流れを抑止する今日一般的な車両の空気力学を改良する導風板及びパネルの使用によって高いオイル温度の認められることが多い。従って軸受温度の下げるのに使われるどのような手段も有利である。すなわち軸受及び関連するクランク軸の寿命が本発明による軸受を使うときは一層低い作動温度従って一層高いオイル粘度によって延びることが期待される。
【図面の簡単な説明】
【００５０】
【図１】従来の半軸受の斜視図である。
【図２】本発明軸受の１実施例と関連する軸受ハウジング及びクランク軸ジャーナルとの一部を示す横断面図である。
【図３】図２の部分Ａの拡大図である。
【図４】本発明軸受の第２実施例の部分横断面図である。
【図５】本発明軸受の第３実施例の部分横断面図である。
【図６】本発明軸受の第４実施例の部分横断面図である。
【図７】本発明軸受の第５実施例の部分横断面図である。
【図８】本発明軸受の第６実施例の部分横断面図である。
【図９】本発明軸受の第７実施例の部分横断面図である。
【図１０】「標準」軸受に相当する寸法範囲を持つ逃げ部分を備えた本発明軸受の軸受温度上昇対エンジン速度の線図である。
【図１１】異なる試験条件による図１０の線図と同様な線図である。
【図１２】異なる寸法パラメータを持つ本発明軸受の図１０と同様な線図である。
【図１３】異なる試験条件のものとでの図１２に示したのと同様な線図である。
【符号の説明】
【００５１】
２０      平軸受
２２      連接棒
３０      軸ジャーナル
５２      逃げの部分
【図１】
2011237035.tif 000004
【図２】
2011237035.tif 000005
【図３】
2011237035.tif 000006
【図４】
2011237035.tif 000007
【図５】
2011237035.tif 000008
【図６】
2011237035.tif 000009
【図７】
2011237035.tif 000010
【図８】
2011237035.tif 000011
【図９】
2011237035.tif 000012
【図１０】
2011237035.tif 000013
【図１１】
2011237035.tif 000014
【図１２】
2011237035.tif 000015
【図１３】
2011237035.tif 000016